(57)【要約】  この電界発光素子は、第１透明電極（１１）と、第２透明電極（１２）と、第１透明電極（１１）と第２透明電極（１２）とに挟まれた発光層（１０）と、第１透明電極（１１）に設けられるグリッド電極（１４）と、を備え、発光層（１０）から第２透明電極（１２）側に発光する光の空気で観測した輝度の３０度以上の特定の角度θｔにおける配光特性を、グリッド電極（１４）が設けられている領域と、グリッド電極（１４）が設けられていない領域とを比較した場合に、グリッド電極（１４）が設けられている領域の輝度の方が大きい。この構成により、グリッド電極が明るく見えて目立つことなく、一様な面発光の実現を可能とする電界発光素子を提供する。
2018008266.tif 000002
【特許請求の範囲】
【請求項１】
第１透明電極と、
第２透明電極と、
前記第１透明電極と前記第２透明電極とに挟まれた発光層と、
前記第１透明電極に設けられるグリッド電極と、を備え、
前記発光層から前記第２透明電極側に発光する光の空気で観測した輝度の３０度以上の特定の角度θｔにおける配光特性を、前記グリッド電極が設けられている領域と、前記グリッド電極が設けられていない領域とを比較した場合に、前記グリッド電極が設けられている領域の輝度の方が大きい、電界発光素子。
【請求項２】
前記グリッド電極は、前記第１透明電極の前記発光層とは反対側の面に設けられている、請求項１に記載の電界発光素子。
【請求項３】
前記グリッド電極は、前記第１透明電極の内部に設けられている、請求項１に記載の電界発光素子。
【請求項４】
前記グリッド電極は、前記発光層側の面に設けられている、請求項１に記載の電界発光素子。
【請求項５】
前記グリッド電極上の前記発光層から前記第２透明電極側に発光する光の空気で観測した輝度の配光特性をＤｇ（θ）とした場合に、３０度以上の特定の角度θｔにおいて、Ｄｇ（θｔ）＞Ｄｇ（０）ｃｏｓ（θｔ）となる、請求項１から請求項４のいずれか１項に記載の電界発光素子。
【請求項６】
前記第１透明電極の前記発光層とは反対側の面に設けられる第１透明部材と、
前記第２透明電極の前記発光層とは反対側の面に設けられる第２透明部材と、をさらに備え、
前記発光層から見た場合に、
前記発光層と前記第１透明電極との界面の反射率が、前記発光層と前記第２透明電極との界面の反射率よりも高くなるように前記第１透明電極と前記第２透明電極の屈折率が選択され、前記第１透明部材の屈折率が前記第２透明部材の屈折率よりも低くなるように設けられており、
前記第１透明部材と前記発光層との間の距離は前記発光層における発光波長以下であり、
前記第２透明部材と前記発光層との間の距離は前記発光層における発光波長以下であり、
前記第１透明部材と前記第２透明部材とは、それぞれの透明部材における光の波長以上の厚さを有する、請求項１から請求項５のいずれか１項に記載の電界発光素子。
【請求項７】
前記第１透明部材、前記グリッド電極、前記第１透明電極の順に積層されており、
前記グリッド電極と前記第１透明電極の間に前記第１透明電極の下地層が設けられている、請求項６に記載の電界発光素子。
【請求項８】
前記下地層の屈折率が前記発光層の屈折率よりも低い、請求項７に記載の電界発光素子。
【発明の詳細な説明】
【技術分野】
【０００１】
本発明は、電界発光素子に関するものである。
【背景技術】
【０００２】
近年、発光ダイオードや有機ＥＬ（Organic  Electroluminescence：ＯＬＥＤ）等の電界発光素子を用いた発光効率の高い面光源が注目を集めている。電界発光素子は平面型の陰極と陽極とに挟まれた発光層から構成される。一般的には陽極を透明電極とし陰極を金属反射電極に構成される場合が多い。一方を金属電極で構成した場合には光は透明陽極側から取り出され、片面発光型の発光デバイスとして用いられている。【０００３】
電界発光素子は、特開２００８−１３０４４９号公報（特許文献１）、および、国際公開第２０１３／１８７１１９号（特許文献２）に開示されるように、陰極と陽極との両面に透明電極を用いた電界発光素子の場合、透明な面発光光源として用いることができる。【０００４】
両面に透明電極を用いた場合には、片側に金属反射電極を用いていた場合に生じていたプラズモン吸収損失を低減することにより、より高効率な電界発光素子を実現することが可能である。透明な面発光光源は、デザイン性に富み空間の拡がりを演出するのに好適である。
【先行技術文献】
【特許文献】
【０００５】
【特許文献１】特開２００８−１３０４４９号公報
【特許文献２】国際公開第２０１３／１８７１１９号
【発明の概要】
【発明が解決しようとする課題】
【０００６】
しかしながら、特許文献１に開示される発明においては、発光素子の一部のグリッド電極上のみが発光するために、グリッド電極が明るく光って目立って見えてしまう課題が挙げられる。特許文献２は全面で発光する透明発光素子であるが、グリッドが無いために中央部が暗くなる課題が懸念される。【０００７】
この発明は上記課題に鑑みてなされたものであり、グリッド電極が明るく見えて目立つことなく、一様な面発光の実現を可能とする電界発光素子を提供することを目的とする。
【課題を解決するための手段】
【０００８】
ある実施の形態に従う電界発光素子においては、第１透明電極と、第２透明電極と、上記第１透明電極と上記第２透明電極とに挟まれた発光層と、上記第１透明電極に設けられるグリッド電極と、を備えている。【０００９】
上記発光層から上記第２透明電極側に発光する光の空気で観測した輝度の３０度以上の特定の角度θｔにおける配光特性を、上記グリッド電極が設けられている領域と、上記グリッド電極が設けられていない領域とを比較した場合に、上記グリッド電極が設けられている領域の輝度の方が大きい。
【発明の効果】
【００１０】
この電界発光素子によれば、グリッドが明るく見えて目立つことなく、一様な面発光の実現を可能とする電界発光素子を提供することを可能とする。
【図面の簡単な説明】
【００１１】
【図１】関連技術における電界発光素子を実現する最小の構成を示す断面図である。
【図２Ａ】実施の形態１における電界発光素子の構造を示す第１断面図である。
【図２Ｂ】実施の形態１における電界発光素子の構造を示す第２断面図である。
【図２Ｃ】実施の形態１における電界発光素子の構造を示す第３断面図である。
【図３】透明部材から観測者側に放射される光の輝度の角度依存性を説明する模式図である。
【図４】発光部で発生した光の透明部材内における光強度の発光部面法線に対する角度依存性を説明する模式図である。
【図５】実施の形態３の電界発光素子の構造を示す断面図である。
【図６】実施の形態５の電界発光素子の構造を示す断面図である。
【図７】実施の形態５の電界発光素子の透明部の構成を示す図である。
【図８】実施の形態５の電界発光素子のグリッド部の構成を示す図である。
【図９】実施の形態５の電界発光素子の透明部の配光を計算した結果を示す図である。
【図１０】実施の形態５の電界発光素子のグリッド部の配光を計算した結果を示す図である。
【図１１】比較例の電界発光素子の透明部の構成を示す図である。
【図１２】比較例の電界発光素子のグリッド部の構成を示す図である。
【図１３】比較例の電界発光素子の透明部の配光を計算した結果を示す図である。
【図１４】比較例の電界発光素子のグリッド部の配光を計算した結果を示す図である。
【図１５】実施の形態６の電界発光素子の構造を示す断面図である。
【図１６】実施の形態６の電界発光素子の他の構造を示す断面図である。
【図１７】光学バッファ層の一例を示す断面図である。
【図１８】光学バッファ層の一例を示す断面図である。
【図１９】光学バッファ層の一例を示す断面図である。
【図２０】光学バッファ層の一例を示す断面図である。
【図２１】光学バッファ層の一例を示す断面図である。
【図２２】光学バッファ層の一例を示す断面図である。
【図２３】両面発光の電界発光素子の断面図である。
【図２４】電界発光素子の発光層と各透明電極との界面における光の反射率の違いによる発光強度差を説明するための模式図である。
【図２５】実施の形態の電界発光素子を用いた照明装置の斜視図である。
【図２６】実施の形態の電界発光素子を用いた照明装置の断面図である。
【図２７】実施の形態の電界発光素子を用いた眼鏡の斜視図である。
【発明を実施するための形態】
【００１２】
本発明に基づいた各実施の形態における電界発光素子について、以下、図を参照しながら説明する。なお、以下に説明する実施の形態において、個数、量などに言及する場合、特に記載がある場合を除き、実施の形態の範囲は必ずしもその個数、量などに限定されない。また、同一の部品、相当部品に対しては、同一の参照番号を付し、重複する説明は繰り返さない場合がある。また、各実施の形態における構成を適宜組み合わせて用いることは当初から予定されていることである。
【００１３】
（関連技術）
図１に、関連技術として、透明電界発光素子を実現する最小の構成を示す。発光層１０は、第１透明電極１１と第２透明電極１２に挟まれて存在する。第１透明電極１１と第２透明電極１２との間に電圧を印加することで電子が加速し注入され、発光層１０で電子の運動エネルギーが光子に変換されることで、第１透明電極１１および第２透明電極１２の両側から光を取り出すことができる。
【００１４】
一般的に、電子注入を容易にするために、第１透明電極１１と第２透明電極１２とには異なる材料を用いる。たとえば、陰極側として電子注入に適した仕事関数を持つ薄膜金属電極（Ａｇ，Ａｌ，Ａｕ，Ｃｕなど）、陽極側として正孔注入に適した仕事関数を持つ透明酸化物半導体電極（ＩＴＯ，ＩＺＯなど）が用いられる。
【００１５】
薄膜金属電極は、電子輸送性に優れるが、光学透過率が低いので透明電極として用いる場合には透過率を上げるために数ｎｍ〜数１０ｎｍの膜厚のものが適している。透明酸化物半導体を用いた透明電極は、薄膜金属電極よりも厚さあたりの面抵抗値が大きく透過率が高いという特徴がある。透明酸化物半導体を透明電極として用いる場合には、面抵抗値を下げるために１００ｎｍ〜２００ｎｍの膜厚のものが適している。
【００１６】
また、光学干渉を最小限の膜厚で効果的に生じさせるためには、透明電極における波長（真空中における波長を屈折率で割った値）の８分の１から１倍の厚さが適しており、例えば波長６２０ｎｍで発光する赤色の素子で屈折率２の透明電極を用いる場合には、６２０／２．０×１／８ｎｍ〜６２０／２．０×１／２＝３９〜３６０ｎｍの膜厚が望ましく、このような膜厚にすることで必要最小限の膜厚で効果的に発光波長における光の干渉効果を調整し光強度の角度分布やスペクトルを透明電極の膜厚で調整できる。
【００１７】
第１透明電極１１と第２透明電極１２とに同種の透明電極を用いた場合には、電子注入性能が低下し駆動電圧が高くなり発光効率が低下するので望ましくない。第１透明電極１１と第２透明電極１２とにはそれぞれ異なる材料を用いて、片側は電子注入性を良くし片側は正孔注入性を良くすることが望ましい。
【００１８】
第１透明電極１１と第２透明電極１２とに異なる電極材料を用いた場合には、発光層１０と第１透明電極１１との界面、および、発光層１０と第２透明電極１２との界面における光の反射率は、第１透明電極１１側と第２透明電極１２側とで反射率が異なる。たとえば、第１透明電極１１側の反射率が高く第２透明電極１２側の反射率が低い場合を考える。多重反射の結果、第１透明電極１１側に取り出される光は少なくなり、第２透明電極１２の外側に取り出される光が多くなる。
【００１９】
後述する図２５および図２６に示すようなショーケース（点灯時は透明で全面が均一発光、消灯時には透明な板）での応用を考えた場合、第１透明電極１１の外側に取り出される光と第２透明電極１２の外側に取り出される光の強度は片側に偏らせることが望ましい。ここで、第１透明電極１１の反射率を高くした構成においては、電極反射率の関係から第２透明電極１２側のみに発光強度を偏らせる方が効率的である。
【００２０】
（実施の形態１：電界発光素子１００）
図２Ａ，図２Ｂ，図２Ｃに、実施の形態１における電界発光素子１００の断面構造を示す。電界発光素子１００は、第１透明電極１１と、第２透明電極１２と、第１透明電極１１および第２透明電極１２に挟まれた発光層１０とを有している。第１透明電極１１には、縞状のグリッド電極１４が設けられている。
【００２１】
グリッド電極１４のより具体的な配置としては、図２Ａに示すように、第１透明電極１１の発光層１０とは反対側の面に設けられる構成、図２Ｂに示すように、第１透明電極１１の内部に設けられる構成、および、図２Ｃに示すように、発光層１０側の面に設けられる構成が挙げられる。
【００２２】
グリッド電極１４を挟んで、第１透明電極１１とは反対側の面には、第１透明部材１５が設けられている。第２透明電極１２を挟んで、発光層１０とは反対側の面には、第２透明部材１６が設けられている。
【００２３】
特に、第１透明電極１１の発光層１０とは反対側の面にグリッド電極１４を設けた際にはグリッド電極１４上に第１透明電極１１を設けることができ、本実施の形態を実施する際にグリッド電極１４上の光学干渉を第１透明電極１１で調整させてグリッド電極１４上の配光（透明部材から観測者側に放射される光の輝度の角度依存性）を調整し易くなる利点がある。また、第１透明電極１１の内部にグリッド電極１４を設けた場合には、グリッド電極１４の位置によってグリッド電極１４上の配光を調整し易くなる利点がある。また、第１透明電極１１の発光層１０側の面にグリッド電極を設けた場合には、第１透明電極１１の膜厚を変えることでグリッド電極１４上の干渉条件を変えることなく、グリッド電極１４が内部分の配光を調整できる利点がある。
【００２４】
電界発光素子１００は、グリッド電極１４上の発光層１０から第２透明部材１６側に発光する光の空気で観測した輝度の配光特性をＤｇ（θ）とした場合に、３０度以上の特定の角度θｔにおいてＤｇ（θｔ）＞Ｄｇ（０）ｃｏｓ（θｔ）となる、ことを特徴としている。このように構成することで、均一な面発光を実現すると同時に、グリッド電極１４上の正面輝度を低下させることで、正面（第２透明部材１６側）から見たときの輝度ムラの低減を可能としている。
【００２５】
電界発光素子１００のさらに詳しい説明をする前に「透明部材から観測者側に放射される光の輝度の角度依存性」と「発光層で発生した光の透明部材内における光強度の発光部面法線に対する角度依存性」の違いについて説明する。
【００２６】
図３および図４は、上記２つの違いを表すための模式図である。「透明部材から観測者側に放射される光の輝度の角度依存性」は、図３において、面発光パネルを屈折率１の空間（たとえば空気）に配置し、面法線に対して輝度の依存性を、ディテクタを用いて測定している。なお、輝度測定は光電力の波長依存性に視感度をかけたものとしてＣＩＥの定義によって計算される。
【００２７】
一方、「発光部で発生した光の透明部材内における光強度の発光部面法線に対する角度依存性」は、面発光パネルの発光部材で発生した光が、透明部材の内部でどのような角度に分布するかを測定した量である。図４に示すように、実験的には発光部の面積よりも充分大きく（たとえば１０倍）、透明部材と同じ屈折率を持つ半球レンズを用意し、透明部材と半球レンズの間に屈折率がマッチングするマッチングオイルを充填して、発光面法線に対する光強度の角度依存性を、ディテクタを用いて測定している。同様の測定方法が、特開２０１１−２２８２６２号公報の図７に開示されている。
【００２８】
（３０度以上の特定の角度θｔ）
特定の角度θｔの望ましい範囲に関しては以下の通りである。
【００２９】
【数１】
2018008266.tif 000003
【００３０】
上記角度範囲は、人間の視覚で感じることのできる角度範囲から定義することができる。人に見られることを前提とする照明（信号機、信号灯、車のテールランプ、等）においては人間が見える角度範囲において特定の輝度が発光領域の面内でむら無く見られることが重要である。
【００３１】
人間の視覚は、「情報受容能力に優れる有効視野は水平３０度，垂直２０度程度に過ぎず，注視点が迅速に安定して見える安定注視野は水平に６０度〜９０度、垂直に４５度〜７０度程度である」と言われている。したがって、θｔ＝３０度とすれば、明るい範囲の角度において情報受容能力に優れる有効視野の範囲内で面内でむらが無く信号が点灯しているという情報を送ることが可能になる。有る程度広い範囲でむらの無い点灯を実現させたい場合は、θｔ＝８０度とすれば「注視点が迅速に安定して見える」範囲でむら無く点灯情報を送ることができる（水平９０度と垂直７０度の平均）。
【００３２】
図２Ａから図２Ｃを再び参照して、電界発光素子１００の構成の効果について説明する。以下、配光と書いた場合は、「透明部材から観測者側に放射される光の輝度の角度依存性」を表し、透明部材内配光と書いた場合は、「発光層で発生した光の透明部材内における光強度の発光部面法線に対する角度依存性」を表すこととする。
【００３３】
一般的にグリッド電極１４は電気抵抗が小さく反射率の高い材料である金属によって構成される。図２Ａから図２Ｃにおいてグリッド電極１４が有る箇所と無い箇所とを比較した場合、本実施の構成を採用していない構造の場合には、グリッド電極１４上の配光も第２透明部材１６上の配光もランバーシアン（ｃｏｓθ）の角度依存性を持つ。このため、正面輝度を比較すると、グリッド電極の無い箇所を「１」とした場合、グリッド電極１４のある箇所は「２」の輝度を持ってしまう場合がある。このため、正面から見た場合、グリッド電極１４が明るい輝線として見えてしまう。
【００３４】
本実施の形態の電界発光素子１００の場合、グリッド電極１４上の配光形状を斜めの３０度以上の特定の角度θｔで強度が最大となるように構成している。エネルギー保存則により、斜めが強い場合は正面輝度が低くなる。このため、配光を変えない場合と比較して正面方向のグリッド電極１４の輝線は目立たなくなる。
【００３５】
一方、斜めから見た場合に、グリッド電極１４の輝線の幅は小さくなるため、人間の目には見え難くなる。一般に人間の目は１００μｍ以下の線の間隔を視認できないため、望ましくは特定の角度θｔ、グリッドの間隔をΛｇとしたときに、以下の式（２）を満足していることが望ましい。
【００３６】
【数２】
2018008266.tif 000004
【００３７】
（実施の形態２）
実施の形態２における電界発光素子について説明する。電界発光素子の構成は、図２Ａから図２Ｃに示す断面構造と同じである。第１透明電極１１の発光層１０とは反対側の面に設けられる第１透明部材１５と、第２透明電極１２の発光層１０とは反対側の面に設けられる第２透明部材１６とにおいて、発光層１０から見た場合に、発光層１０と第１透明電極１１との界面の反射率が、発光層１０と第２透明電極１２との界面の反射率よりも高くなるように第１透明電極１１と第２透明電極１２との屈折率が選択され、第１透明部材１５の屈折率が第２透明部材１６の屈折率よりも低くなるように設けられている。
【００３８】
さらに、第１透明部材１５と発光層１０との間の距離は発光層１０における発光波長以下であり、第２透明部材１６と発光層１０との間の距離は発光層１０における発光波長以下であり、第１透明部材１５と第２透明部材１６とは、それぞれの透明部材における光の波長以上の厚さを有している。発光層１０までの距離は、発光層１０の厚さ方向の略中心に位置する発光点を基準として測定する。
【００３９】
このように構成することで、電界発光素子１００に片側に偏った発光を実現できると同時に、グリッド電極１４上の輝度低下割合を、実施の形態１の構成より少なくすることが可能になり、正面輝度効率を向上させることが可能になる。
【００４０】
（実施の形態３）
図５を参照して、実施の形態３の電界発光素子１００Ａについて説明する。本実施の形態における電界発光素子１００Ａは、実施の形態１または実施の形態２に対して、第１透明部材１５、グリッド電極１４、および、第１透明電極１１の積層構造において、グリッド電極１４と第１透明電極１１との間に第１透明電極１１の下地層１３が設けられている。このように下地層１３が設けられることで、第１透明電極１１の平滑性を向上させ、透過率の向上と同時に面抵抗の低減が可能になる。
【００４１】
（実施の形態４）
実施の形態４における電界発光素子は、上記実施の形態３の電界発光素子１００Ａにおいて、下地層１３の屈折率が発光層１０の屈折率よりも低いことを特徴とする。このように、下地層１３の屈折率を調整して、第１透明電極１１との間の屈折率差を調整することでフレネル反射を低減させ、透明性を向上させることが可能になる。より具体的には発光波長において「（空気の屈折率）＜（第１透明部材の屈折率）＜（下地層の屈折率）＜（発光層の屈折率）」とすると良い。このようにすることで屈折率段差を低減し、フレネル反射による光損失を低減することができる。
【００４２】
（実施の形態５）
図６を参照して、上記実施の形態２に示した電界発光素子１００Ａのより詳細な構成を実施の形態５の電界発光素子１００Ｂとして以下説明する。なお、図６では、シングルスタック型の構成で説明しているが、マルチスタック型の電界発光素子としてもよい。特に本実施の形態においてはグリッド電極の有るところと無いところで配光形状を変えることが重要であるので、マルチスタック型を用いると多層膜干渉を各層の膜厚を調整することで行えるため配光を調整しやすいため、マルチスタック型が適している。
【００４３】
電界発光素子１００Ｂは、第１透明部材１５、第１透明電極ａ２２、下地層１３、グリッド電極１４、第１透明電極ｂ２１、正孔輸送層（ＨＴＬ）３１、発光層（ＥＭＬ）１０、電子輸送層（ＥＴＬ）３２、第２透明電極１２、光学バッファ層２３、封止層２４、接着層２５、および、封止基板２６が、この順で積層されている。
【００４４】
第１透明電極ａ２２、および、第１透明電極ｂ２１を設けることで、第１透明電極ｂ２１の導電性を第１透明電極ａ２２によって補うことができ、面抵抗を低減でき面内輝度ばらつきをより低減する効果が得られる。面内輝度ばらつきをより低減する必要が無い場合には、第１透明電極ａ２２は設けなくてもよい。
【００４５】
第１透明電極ａ２２と第１透明電極ｂ２１の材料としては、たとえばＩＴＯ（インジウム酸化物と錫酸化物との混合体）膜、ＩＺＯ（インジウム酸化物と亜鉛酸化膜との混合体）膜、ＺｎＯ膜、ＣｕＩ膜、ＳｎＯ２膜等のその他の無機導電膜や、ＰＥＤＯＴ／ＰＳＳ（ポリエチレンジオキシチオフェンとポリスチレンスルフォン酸の混合体）膜等の有機導電膜、高分子材料に銀ナノワイヤーやカーボンナノチューブ等を分散させた複合導電膜等が用いられる。ＩＴＯ透明電極やＩＺＯ透明電極を用いた場合には透過率が高い利点がある。ＰＥＤＯＴ／ＰＳＳを用いた場合には、屈折率が低いため発光層で生じた光が高屈折率層に閉じ込められる導波モード損失を低減できる効果や、有機層との屈折率差が生じるため本実施の形態において重要な配光調整を行なえる利点がある。
【００４６】
有機導電膜、特開２０１２―０９９３２５号公報に開示される導電性樹脂を、透明電極として用いることができる。導電性樹脂を用いた場合にはフレキシブル性が得られる利点がある。
【００４７】
電界発光素子１００Ｂは、第１透明部材１５上に第１透明電極ａ２２を形成したあと、下地層１３を形成する。その後、下地層１３の一部にグリッド電極１４を形成する。その後、グリッド電極１４を覆うようにして第１透明電極ｂ２１を形成する。その後、正孔輸送層（ＨＴＬ）３１、発光層（ＥＭＬ）１０、電子輸送層（ＥＴＬ）３２、第２透明電極１２、光学バッファ層２３、および、封止層２４を順番に形成した後、接着層２５を用いて封止基板２６を接着する。
【００４８】
電界発光素子１００Ｂは、グリッド電極１４上の領域の配光とグリッド電極１４以外の領域との配光とを異なるように形成する必要がある。図６に示す構成を採用することで、グリッド電極１４上の領域とグリッド電極１４以外の領域とで異なる配光を取りやすくなる。
【００４９】
より具体的に説明すると、グリッド電極１４上の発光層１０からグリッド電極１４を見た場合の光路上には、正孔輸送層（ＨＴＬ）３１と第１透明電極ｂ２１が位置しているのに対し、グリッド電極１４が設けられていない領域から第１透明部材１５側を向いた場合の光路上には正孔輸送層（ＨＴＬ）３１と、第１透明電極ｂ２１と、下地層１３と、第１透明電極ａ２２があり、干渉条件を異ならせることができ、グリッド電極１４上とグリッド電極１４以外の部分とで配光が異なるように構成し易くなる。
【００５０】
図７および図８に、電界発光素子１００Ｂを実施する場合の具体的な構成例を示す。グリッド電極１４は縦縞状に設けられている。図６において、グリッド電極１４は、紙面に対して垂直方向に延びている。
【００５１】
電界発光素子１００Ｂは、波長５９０ｎｍ〜６５０ｎｍで発光する赤色の素子であり、発光ピーク波長は６２５ｎｍである。ここで、材料の屈折率は波長６２５ｎｍにおける値を代表値として示している。
【００５２】
第１透明電極ａ２２としては、透明で導電性のよい材料としてＩＴＯ、ＩＺＯを用いることが望ましい。ＩＴＯ、ＩＺＯを用いた場合には、素子透過率を向上できる利点がある。第１透明電極ａ２２上には下地層１３を形成することが望ましい。このように下地層１３を一面に形成することで作成プロセスが簡便になる利点と同時に、グリッド電極１４が無い部分の光学距離を調整する機能も有し、グリッド電極１４上とグリッド電極１４が無いところとの光路長を変化させることができる利点を有する。
【００５３】
下地層１３の材料としては金属の平滑性を向上させる有機材料を用いることが望ましく、特に特開２０１５―６０７２８号公報に開示される「アルカリ金属またはアルカリ土類金属と酸素を含有して構成」された材料や、特開２０１５―６０７１７号公報に開示される「縮合複素環化合物を含有し、当該縮合複素環化合物が窒素原子（Ｎ）と炭素原子（Ｃ）の数の比（Ｎ／Ｃ）の値が０．５以上の含窒素縮合環を分子内に有する」材料を用いることが望ましい。
【００５４】
このような下地層１３を用いることでグリッド電極１４や第１透明電極ｂ２１の平滑性を向上することができる。第１透明電極ｂ２１（図１および図５に示す第１透明電極１１に相当）としては薄膜金属を用いることが望ましい。このように薄膜金属を用いることで、導電性を向上させることが可能であると同時に光の干渉効果によってグリッド電極１４が無い部分の配光を調整しやすくなる。
【００５５】
図７および図８に示すように、電界発光素子１００Ｂにおいては、第１透明電極ａ２２としてＩＺＯを用い、下地層１３として「アルカリ土類金属と酸素を含有して構成」された有機材料を用い、第１透明電極ｂ２１として薄膜金属電極を用いている。
【００５６】
発光機能層の構成として、ここでは第１透明電極ｂ２１側から、正孔輸送層（ＨＴＬ）３１／発光層（ＥＭＬ）１０／電子輸送層（ＥＴＬ）３２の順番で説明したが、第１透明電極ｂ２１と正孔輸送層（ＨＴＬ）３１との間に正孔注入層（ＨＩＬ）を設けて正孔注入性を向上してもよい。同様に第２透明電極１２と電子輸送層３２の間に電子注入層（ＥＩＬ）を設けて電子注入性を向上してもよい。また、透明電極近くの注入層（ＥＩＬまたはＨＩＬ）には有機材料で構成される注入層を用いることが望ましく、有機材料で構成することにより水分や酸素に対する耐性が強くなる効果があり、本実施の形態で重要な光の干渉条件が材料変質により変化することを防ぐ利点がある。
【００５７】
さらに、第１透明部材１５側から正孔輸送層（ＨＴＬ）３１／発光層（ＥＭＬ）１０／電子輸送層（ＥＴＬ）３２の構成で説明したが、第１透明部材１５側から電子輸送層（ＥＴＬ）３２／発光層（ＥＭＬ）１０／正孔輸送層（ＨＴＬ）３１の順番に構成しても光学的には同じである。
【００５８】
第２透明電極１２については第１透明電極ｂ２１と同じ材料を用いることができるが、発光層１０から見た場合の反射率を第１透明電極ｂ２１よりも低く設定することが望ましい。
【００５９】
より具体的には、第１透明電極ｂ２１を薄膜金属で構成し第２透明電極１２をＩＴＯまたはＩＺＯ等の金属酸化物で構成すること、あるいは第１透明電極ｂ２１と第２透明電極１２を薄膜金属で構成し第２透明電極１２の膜厚を第１透明電極ｂ２１の膜厚よりも薄く構成すること、が望ましい。
【００６０】
図７および図８においては、「第１透明電極ｂ２１と第２透明電極１２を薄膜金属（Ａｇ）で構成し、第２透明電極１２の膜厚を第１透明電極ｂ２１の膜厚よりも薄く構成」することによって「発光層から見た第２透明電極１２の反射率を発光層１０から見た第１透明電極ｂ２１の反射率よりも低く構成」している。
【００６１】
封止層２４については発光層１０よりも屈折率の高い材料で構成することが望ましい。一般的に光は屈折率が高い空間に偏る傾向があるため、このように構成することで光を封止層２４側により多く取り出すことが可能になる。封止層２４としてＳｉＮを用いて屈折率１．９を実現することで、発光ピーク波長において発光層１０よりも封止層２４の屈折率が高くなるように構成している。
【００６２】
接着層２５については透明度の高い光学接着剤を用いることが望ましい。より具体的には使用する膜厚において「ＪＩＳ  Ｋ  ７１３６：２０００（ＩＳＯ  １４７８２：１９９９）」に定められる透過率で８０％以上、より望ましくは９０％以上のものが望ましい。このような光学接着剤を用いることで透過率の高い電界発光素子を実現できる。また、接着層２５は発光波長において９０％以上の透過率を持つことが望ましく、発光波長で高い透過率を持つことで効率の高い発光を実現できると同時に、本実施の形態における配光調整の効果を高めることができる。接着層２５は紫外域で吸収特性を持つことが望ましい。より具体的には（波長３５０ｎｍ〜４００ｎｍ）において平均の吸収率が１０％以上であること、より望ましくは２０％以上であること、さらに望ましくは５０％以上であると良い。紫紫外域で吸収を持つことで、有機材料に損傷を与える紫外線が有機材料に到達することを防止し、電界発光素子の耐久性を向上できる利点がある。
【００６３】
接着層２５はフレキシブル性を有することが望ましい。硬化後において、曲率半径１０ｍｍ、望ましくは曲率半径５ｍｍ、より望ましくは曲率半径１ｍｍで割れないことが望ましい。このように構成することでフレキシブル性を有する電界発光素子を実現できる。
【００６４】
接着層２５は紫外域（波長３５０ｎｍ〜４００ｎｍ）で吸収を持ち、「ＪＩＳ  Ｋ  ７１３６：２０００（ＩＳＯ  １４７８２：１９９９）」に定められる透過率が接着層単体で９０％以上であり、発光ピーク波長において使用する接着層単体の透過率が９０％以上であり、曲率半径１ｍｍで割れないことを確認している。
【００６５】
電界発光素子全体のフレキシブル性を向上させるために、第１透明部材１５と封止基板２６には樹脂基材を用いることが望ましい。その厚さは５００μｍ以下、より望ましくは２００μｍ以下、より望ましくは１００μｍ以下、さらに望ましくは５０μｍ以下がよい。ただし、樹脂基材としての機能を保持するためには、厚さは１０μｍ以上あることが望ましい。
【００６６】
このように構成することでフレキシブル性を有する第１透明部材１５と封止基板２６としての機能を発揮できる。第１透明部材１５および封止基板２６には厚さ２００μｍのＰＥＴ基材を用い、曲率半径１ｍｍで曲げても割れが発生しないことを確認している。
【００６７】
図９および図１０に、電界発光素子１００Ｂの配光（輝度の角度分布）を計算した結果を示す。発光強度の角度依存性は光学多層膜の解析手法を用いて設計される。計算方法としては公知の文献（梶川浩太郎他著，“アクティブ・プラズモニクス”，コロナ社，初版第１刷，２０１３年）の第５章１節で説明されている方法を用いた。なお、それ以外にも公知の電磁場解析手法であるＦＤＴＤ（Finite  Difference  Time  Domain）法や、有限要素法などを用いることもできる。
【００６８】
計算において電界発光素子１００Ｂの発光スペクトルを計算するために、基準素子の電流注入時のエレクトロルミネッセンススペクトル（ＥＬスペクトル）を用いて発光層１０の内部発光スペクトルを逆算し、電流注入時の発光スペクトルを正確に見積もることを行なった。
【００６９】
このようにして基準素子のエレクトロルミネッセンススペクトルと基準素子の光取りだし効率から逆算された、発光スペクトルは波長６２５ｎｍにピーク波長を持ち、スペクトル反値全幅が７０ｎｍの光スペクトルを有していた。このように、基準素子の電流注入スペクトルを用いる内部スペクトルの推定する方法は、材料のフォトルミネッセンススペクトルを用いて内部発光スペクトルを推定する方法と比較すると電流注入時の内部スペクトルをより正確に推定できる利点がある。以下では、発光スペクトルのピーク波長６２５ｎｍに注目して、電界発光素子を実施するのに望ましい設計について説明する。
【００７０】
電界発光素子１００Ｂの構成（図７および図８に示す構成）においては、グリッド電極１４の無い部分（透明部）において輝度の角度依存性をＤ（θ）と置いた場合に、以下の式（３）を満足する。
【００７１】
【数３】
2018008266.tif 000005
【００７２】
グリッド電極１４のある部分（グリッド部）において輝度の角度依存性をＤｇ（θ）と置いた場合に、以下の式（４）を満足する。
【００７３】
【数４】
2018008266.tif 000006
【００７４】
このように、透明部とグリッド部で配光形状を異ならせる構成を実現している。
電界発光素子１００Ｂの効果を説明するために比較例を示す。図１１および図１２に示す比較例における構成においては、電子輸送層３２の膜厚を５０ｎｍとしている。その他の構成は、図７および図８に示す構成と同じである。図１３および図１４に、図１１および図１２に示す比較例の構成での配光（輝度の角度分布）を計算した結果を示す。
【００７５】
図１３および図１４を参照して、比較例の構成においてはグリッド部と透明部の正面輝度比が２．２倍（２１．７／９．８）と大きい。一方、図９および図１０に示す電界発光素子１００Ｂの構成では、グリッド部と透明部の正面輝度比が、１．６倍（９．８／６．０）と小さくなっている。
【００７６】
このように電界発光素子１００Ｂの構成を実施することでグリッド電極１４のある箇所と無い箇所の正面輝度を近づけることが可能になる。また、図１３および図１４に示すように、比較例の構成における配光の条件については、グリッド電極の無い部分（透明部）において輝度の角度依存性をＤ（θ）と置いた場合に、以下の式（５）を満足する。
【００７７】
【数５】
2018008266.tif 000007
【００７８】
グリッド電極１４のある部分（グリッド部）において輝度の角度依存性をＤｇ（θ）と置いた場合に、以下の式（６）を満足する。
【００７９】
【数６】
2018008266.tif 000008
【００８０】
このように、特にグリッド部において正面方向に偏った配光になっていると、グリッド部の輝度が目立つようになっている。
【００８１】
（実施の形態６）
グリッド部と透明部の配光を異ならせる他の実施の形態における電界発光素子１００Ｃについて、以下説明する。基本的な考え方は、「グリッド部（グリッド電極１４のある部分）と透明部（グリッド電極１４のない部分）とで発光層１０から見た場合の干渉条件を異ならせる」ことである。
【００８２】
図１５および図１６に、本実施の形態における電界発光素子１００Ｃの断面構造を示す。グリッド部とはグリッド電極１４の直上の部分で、透明部はグリッド電極１４が無い部分で透明に見える部分である。導電性を向上させるためにグリッド電極１４は金属材料で構成されることが望ましく、このときグリッド部は不透明になる。図１５は、グリッド電極１４が、第１透明部材１５側に設けられている構造を示し、図１６は、グリッド電極１４が、封止基板２６側に設けられている構造を示す。
【００８３】
図１５に示す電界発光素子１００Ｃは、第１透明部材１５上に第１光学バッファ層３３、グリッド電極１４、第１透明電極３１、発光機能層１０Ａ、第２透明電極１２、第２光学バッファ層３４、封止層２４、接着層２５、および、封止基板２６が、この順で積層されている。第１光学バッファ層３３および第２光学バッファ層３４は、発光機能層１０Ａの内部の発光層（ＥＭＬ）で発生した光が感じる光路長を、透明部とグリッド部で異ならせるように構成する。
【００８４】
より詳しくは、透明部においては正面方向で強め合う干渉が起こるように構成し、グリッド部では斜め方向が強め合うような干渉が生じるように構成する。このように構成することで、透明部ではより正面向きに強い配光になり、グリッド部では斜め方向に強い配光となる。
【００８５】
図１５に示すように、グリッド部において、第１光学バッファ層３３はグリッド電極１４に遮られる。したがって、第２光学バッファ層３４は斜めが強まる干渉とし、第１光学バッファ層３３は第２光学バッファ層３４の干渉を打ち消して正面方向に配光を向ける干渉を起こさせる構成が望ましい。
【００８６】
なお、図１６のように封止基板２６側の電極にグリッド電極１４を設けた構成も本実施の形態の要件を満たす。図１６のように封止基板２６側の電極にグリッド電極１４を設けると、発光機能層１０Ａを平坦に構成することで発光機能層１０Ａが波打つことによって生じる散乱によって配光が鈍る現象を抑制でき、透明部とグリッド部で配光を異ならせる効果をより発揮することが可能になる。
【００８７】
図１７から図２２を参照して、光学バッファ層について説明する。図１７に示す、たとえば屈折率が１．４の低屈折率層（Ｌ）２１０、図１８に示す、たとえば屈折率が２．０の高屈折率層（Ｈ）２２０、図１９に示す、高屈折率層（Ｈ）２２０と低屈折率層（Ｌ）２１０とを複数組み合わせた誘電体多層膜、図２０に示す、薄膜金属（Ｍ）３１０と誘電体（Ｄ）３２０を組み合わせたＭＤＭ型フィルタ、あるいは、図２１示す、薄膜金属（Ｍ）３１０と誘電体（Ｄ）３２０を組み合わせたＤＭＤ型フィルタ、図２２に示す、横方向に薄膜金属（Ｍ）３１０と誘電体（Ｄ）３２０とを配置した周期性を有するフォトニック結晶などが、光学バッファ層として用いられる。また、光学バッファ層は例えば誘電体多層膜とＭＤＭ型フィルタあるいはＤＭＤ型フィルタあるいはフォトニック結晶を複数組み合わせた構成をとってもよい。複数のバッファを組み合わせた場合は配光を細かく調整できる利点がある。
【００８８】
ここで薄膜金属とは、発光ピーク波長において光の透過率が３０％以上得られる膜厚の金属であり、たとえばＡｕ、Ａｇ、Ａｌであれば膜厚が２０ｎｍ以下のものをいう。
【００８９】
再び、図１５を参照して、光学バッファ層として低屈折率層（Ｌ）２１０、または、高屈折率層（Ｈ）２２０を用いた場合にはバッファ層の構成が単純になり、製造が容易になる利点がある。第１光学バッファ層３３は、グリッド電極１４や第１透明電極３１の連続膜性を向上させる下地層の機能を有していると同時に導電性を有することが望ましい。このように導電性と下地層の性能を合わせて持つ場合には、第１透明電極３１の電極抵抗を低下すると同時に透過率を向上できる効果がある。
【００９０】
光学バッファ層として低屈折率層（Ｌ）２１０を用いる場合には、発光ピーク波長において、光学バッファ層の屈折率は発光層の屈折率未満であることが望ましい。このようにすることで、発光層と屈折率が異なることによりフレネル反射による干渉効果で配光形状の調整が行なえる。光学バッファ層として高屈折率層（Ｈ）２２０を用いる場合には、光学バッファ層の屈折率は発光層の屈折率より高いことが望ましい。このようにすることで、発光層と屈折率が異なることによりフレネル反射による干渉効果で配光形状の調整が行なえる。
【００９１】
光学バッファ層として薄膜金属と誘電体とを組み合わせる場合も、誘電体層として導電性を有し下地層としての性能を持った導電性樹脂を用いることが望ましい。より望ましくは光学バッファ層の薄膜金属が第１透明電極あるいは第２透明電極を兼ねることが望ましい。この場合も、下地層の機能を持った導電性樹脂により透明電極の連続膜性が向上すると同時に透過率が上がる利点を有する。
【００９２】
いずれの場合も、光学バッファ層の膜厚は発光層における発光ピーク波長の膜厚以下であることが望ましく、少なくとも発光層における発光ピーク波長の８分の１以上の膜厚であることが望ましい。このようにすることで、必要最小限の干渉膜厚で配光を制御することにより、製造安定性の向上や材料コスト低減が行える。たとえば、発光ピーク波長が６２５ｎｍで発光層の屈折率が１．８の場合は、光学バッファ層の膜厚は６２５／１．８／８＝４３ｎｍ以上、６２５／１８＝３４７ｎｍ以下であることが望ましい。
【００９３】
電界発光素子１００Ｃの構成においては、グリッド電極１４の下に第１光学バッファ層３３を配置したが、グリッド電極１４の上に選択的に導電性樹脂を設けることでグリッド電極１４の上だけに光学バッファ層を設ける構成を用いてもよい。この場合、グリッド電極の上だけ選択的に配光を調整でき、大きくグリッド電極１４上の配光を変更することができる。
【００９４】
以下、上述の各実施の形態を実施する上で望ましい構成について詳細に述べる。
（第１透明部材、第２透明部材）
各実施の形態に用いられる第１透明部材および第２透明部材として望ましい材料について説明する。均一な面発光および高効率な面発光を実現するためには、透明部材の透過率が高い方が望ましい。具体的にはＪＩＳ  Ｋ  ７３６１−１：１９９７（プラスチック−透明材料の全光線透過率の試験方法）に準拠した方法で測定した可視光波長領域における全光線透過率が８０％以上のものが透明部材として好ましく用いられる。また、透明部材としては、フレキシブル性に優れている材質が好ましく用いられる。
【００９５】
透明部材としては、たとえば、樹脂基板、樹脂フィルム等が好適に挙げられるが、生産性の観点並びに軽量性及び柔軟性といった性能の観点から、透明樹脂フィルムを用いることが好ましい。透明樹脂フィルムとは、ＪＩＳ  Ｋ  ７３６１−１：１９９７（プラスチック−透明材料の全光線透過率の試験方法）に準拠した方法で測定した可視光波長領域における全光線透過率が５０％以上のものをいう。
【００９６】
好ましく用いることができる透明樹脂フィルムには特に制限はなく、その材料、形状、構造、厚み等については公知のものの中から適宜選択することができる。かかる透明樹脂フィルムとしては、たとえば、ポリエチレンテレフタレート（ＰＥＴ）、ポリエチレンナフタレート、変性ポリエステル等のポリエステル系樹脂フィルム、ポリエチレン（ＰＥ）樹脂フィルム、ポリプロピレン（ＰＰ）樹脂フィルム、ポリスチレン樹脂フィルム、環状オレフィン系樹脂等のポリオレフィン類樹脂フィルム、ポリ塩化ビニル、ポリ塩化ビニリデン等のビニル系樹脂フィルム、ポリエーテルエーテルケトン（ＰＥＥＫ）樹脂フィルム、ポリサルホン（ＰＳＦ）樹脂フィルム、ポリエーテルサルホン（ＰＥＳ）樹脂フィルム、ポリカーボネート（ＰＣ）樹脂フィルム、ポリアミド樹脂フィルム、ポリイミド樹脂フィルム、アクリル樹脂フィルム、トリアセチルセルロース（ＴＡＣ）樹脂フィルム等を挙げることができる。
【００９７】
また、特に厚さについてはフレキシブル性を有するような厚さにすることが望ましく、１００マイクロメートル以下が望ましく、５０マイクロメートル以下であることがより望ましい。また、複屈折性を有するように構成すると、斜め方向の光線の屈折率を正面と異ならせるようにでき、斜め方向の配光を調整できるようになるため、面水平方向と面垂直方向で複屈折性を有するように構成すると良い。
【００９８】
上記した全光線透過率が８０％以上である樹脂フィルムであれば、各実施の形態に係る透明部材としてより好ましく用いられる。透明部材としては、中でも透明性、耐熱性、取り扱いやすさ、強度及びコストの観点から、二軸延伸ポリエチレンテレフタレートフィルム、二軸延伸ポリエチレンナフタレートフィルム、ポリエーテルサルホンフィルム又はポリカーボネートフィルムが好ましく、二軸延伸ポリエチレンテレフタレートフィルム又は二軸延伸ポリエチレンナフタレートフィルムがより好ましい。特に二軸延伸フィルムを用いると、面水平方向と面垂直方向で複屈折性を有するように構成でき、斜め方向の光線の屈折率を正面と異ならせるようにでき、斜め方向の配光を調整できるようになるので、本実施の形態を実施するには望ましい。
【００９９】
フィルム状の基材の表面又は裏面には、無機物の被膜、有機物の被膜、又は、無機物及び有機物のハイブリッド被膜が形成されていてもよい。かかる被膜が形成された基材は、ＪＩＳ  Ｋ  ７１２９−１９９２に準拠した方法で測定した水蒸気透過度（２５±０．５℃、相対湿度（９０±２）％ＲＨ）が、１×１０−３ｇ／（ｍ２・２４ｈ）以下のバリア性フィルムであることが好ましい。さらには、ＪＩＳ  Ｋ  ７１２６−１９８７に準拠した方法で測定した酸素透過度が、１×１０−３ｍｌ／ｍ２・２４ｈ・ａｔｍ以下、水蒸気透過度（２５±０．５℃、相対湿度（９０±２）％ＲＨ）が、１×１０−３ｇ／（ｍ２・２４ｈ）以下の高バリア性フィルムであることが好ましい。
【０１００】
高バリア性フィルムとするためにフィルム状の基材の表面又は裏面に形成されるバリア膜を形成する材料としては、水分、酸素等といった素子の劣化をもたらすものの侵入を抑制する機能を有する材料であればよく、たとえば、酸化珪素、二酸化珪素、窒化珪素等を用いることができる。さらに当該バリア膜の脆弱性を改良するためにこれら無機層と有機材料からなる層の積層構造を持たせることがより好ましい。無機層と有機層との積層順については特に制限はないが、両者を交互に複数回積層させることが好ましい。特に、無機層と有機層を複数積層した場合は、本実施の形態の第１光学バッファ無機層と有機層を複数積層した層が兼ねることができ、配光調整とバリア機能を同時に強化できる利点がある。
【０１０１】
各実施の形態に係る透明部材には、濡れ性及び接着性を確保するために、表面処理を施すことや易接着層を設けることができる。表面処理及び易接着層については、従来公知の技術を使用することができる。たとえば、表面処理としては、コロナ放電処理、火炎処理、紫外線処理、高周波処理、グロー放電処理、活性プラズマ処理、レーザー処理等の表面活性化処理を挙げることができる。易接着層としては、ポリエステル、ポリアミド、ポリウレタン、ビニル系共重合体、ブタジエン系共重合体、アクリル系共重合体、ビニリデン系共重合体、エポキシ系共重合体等を挙げることができる。易接着層は単層でもよいが、接着性を向上させるために２層以上の構成にしてもよい。
【０１０２】
（電界発光素子）
電界発光素子として、有機ＥＬが用いられ得る。有機ＥＬ発光パネルは透明基板上に発光領域を設け、その後に有機ＥＬを劣化させる水分の侵入を防ぐ封止部材で蓋をすることで構成される。発光領域の周囲には封止性能を保持するために一定領域の非発光領域が存在する。
【０１０３】
発光領域はさらに詳細に、透明基板／透明電極（陽極）／正孔注入層（HIL：Hole  Injection  Layer）／正孔輸送層（HTL:Hole  Transfer  Layer）／発光層（EML：EMissive  Layer）／電子輸送層（ETL：Electron  Transfer  Layer）／電子注入層（EIL：Electron  Injection  Layer）／透明電極（陰極）／透明封止材料／透明部材、により構成される。
【０１０４】
他に、たとえば陽極／発光層／電子輸送層／陰極からなるもの、陽極／正孔輸送層／発光層／電子輸送層／陰極からなるもの、陽極／正孔輸送層／発光層／正孔阻止層／電子輸送層／陰極からなるもの、陽極／正孔輸送層／発光層／正孔阻止層／電子輸送層／陰極バッファー層／陰極からなるもの、陽極／陽極バッファー層／正孔輸送層／発光層ユニット／正孔阻止層／電子輸送層／陰極バッファー層／陰極からなるものが挙げられるが、各実施の形態はこれらに限定されるものではない。
【０１０５】
透明部材、封止部材には可撓性を有するフレキシブル樹脂基板を用いることが望ましく、これは上述した透明部材の材料を用いることが望ましい。電界発光素子は、発光領域の劣化を防止するための封止領域や、給電のための電極を設けるために発光パネルの一部に非発光部が含まれる。各実施の形態を実施する上では非発光部は透明であることが望ましい。このように非発光部を透明になるように構成することで、素子全体の透過率を向上させることができる。
【０１０６】
（透明電極）
透明電極にＩＴＯを用いた例で説明してきたが、各実施の形態を実施する上ではより配光（強度または輝度の角度依存性）を制御しやすい透明電極を用いることが望ましい。透明部材内の強度の角度依存性がより多くの極大を有しやすい構成としては、有機層と透明電極の界面、あるいは透明電極と透明部材の界面で反射率が高くなるような透明電極を用いることが望ましい。有機層と透明電極との界面、あるいは透明電極と透明部材との界面の反射率を高めることで、光の干渉効果を高めることができ、透明部材内の強度の角度依存性は角度に対してより多くの極大を有しやすくなる。
【０１０７】
透明電極のより具体的な材料として、薄膜金属電極が挙げられる。その中で特に公知文献特許第５２６６５３２号に示されるように窒素含有の下地層と薄膜金属とを組み合わせた透明電極を用いることが望ましい。窒素含有の下地層は薄膜金属を連続膜に成膜させる性質を持つ。連続膜として成膜された薄膜金属は界面のフレネル反射率が高いため、光の干渉効果を高くできる。
【０１０８】
ここでいう、金属とは面発光パネルの発光波長において複素非誘電率の実部が負である材料である。複素比誘電率εｃは界面反射に関係する光学定数であり屈折率ｎと消衰係数κとを用いて、以下の式（７）で表される物理量である。
【０１０９】
【数７】
2018008266.tif 000009
【０１１０】
ここでＰとＥはそれぞれ分極と電界、εｏは真空中の誘電率である。式（７）からｎが小さくκが大きいほど複素比誘電率の実部が小さくなることがわかる。これは電界の振動に対して電子の振動によって分極応答の位相がずれる効果を現している。
【０１１１】
式（７）で示される複素比誘電率の実部が負になると、電界振動と分極応答が逆転することを意味し、これが金属の特性となる。逆に、素比誘電率の実部が正の場合は電界の方向と分極応答の方向が一致し、誘電体としての分極応答を示す。
【０１１２】
まとめると、複素比誘電率の実部が負である媒質が金属であり、複素比誘電率の実部が正の物質が誘電体である。一般に、屈折率ｎが小さく消衰係数κが大きいほど電子がよく振動する材料であることを意味する。電子輸送性が高い材料は屈折率ｎが小さく、消衰係数κが大きい傾向がある。特に金属電極においては、屈折率ｎが０．１程度であるのに対し、消衰係数κは、２〜１０と大きな値を持ち波長に対する変化率も大きい。従って、屈折率ｎが同じ値でも消衰係数κの値が大きく違い、電子輸送性能に大きな差が出ることが多い。
【０１１３】
本実施の形態を実施する上では、透明電極材料はフレネル反射率を高める金属であることが望ましい。より具体的な屈折率の要件としては屈折率ｎが小さく、電子の応答を良くするために消衰係数κが大きい金属がのぞましい。たとえば、アルミニウム（Ａｌ）、銀（Ａｇ）、カルシウム（Ｃａ）が望ましい。他の例では、酸化され難い利点も持つ金（Ａｕ）が考えられる。別の材料として銅（Ｃｕ）があり、同材料は導電性がよいという特徴を持つ。
【０１１４】
その他には熱的性質や化学的性質が良く高温でも酸化されにくく基板材料との化学反応も起さない特徴がある材料として、白金、ロジウム、パラジウム、ルテニウム、イリジウム、オスミニウムなどがあげられる。また複数の金属材料を用いた合金を用いてもよい。特にＭｇＡｇやＬｉＡｌは薄膜透明金属電極としてもよく用いられる。
【０１１５】
特に望ましい薄膜金属の膜厚ｄとしては消衰係数κと発光波長λを用いて光強度１／ｅに減衰する距離から、下記の式（８）が挙げられる。
【０１１６】
【数８】
2018008266.tif 000010
【０１１７】
より具体的な数字で言えば波長４７５ｎｍにおいてＡｇ薄膜を用いた場合には消衰係数κが２．７であることから、下記の式（９）が導かれ、膜厚は１３．９ｎｍ以下が望ましい。
【０１１８】
【数９】
2018008266.tif 000011
【０１１９】
（望ましいグリッド電極１４の構成）
図１５を参照しながら、望ましいグリッド電極１４の構造について説明する。図１５に示す構成は、実施の形態５における電界発光素子１００Ｃの断面構造であるが、上記他の実施の形態に示す電界発光素子のグリッド電極として採用することができる。
【０１２０】
導電性を確保するためにグリッド電極１４の幅は一定以上確保する必要があるが、グリッド電極１４を太くしすぎると目に見えてしまう欠点がある。人間が認識できる線幅の限界は１００μｍと言われていることを考慮してグリッド幅Ｗｇは、以下の式（１０）を満足することが望ましい。
【０１２１】
【数１０】
2018008266.tif 000012
【０１２２】
グリッド電極厚ｈｇは十分な導電性を確保しつつ薄型の構成を確保するために、以下の式（１１）を満足することが望ましい。
【０１２３】
【数１１】
2018008266.tif 000013
【０１２４】
グリッド電極１４の周期Λｇは、以下の式（１２）を満足することが望ましい。
【０１２５】
【数１２】
2018008266.tif 000014
【０１２６】
グリッド電極１４の周期Λｇは、以下の式（１３）を満足することがより望ましい。
【０１２７】
【数１３】
2018008266.tif 000015
【０１２８】
このようにすることで、グリッド電極の無い部分（透明部）の広さを保ちながら導電性を確保できる。また、上述の式（１）に示す特定の角度θｔを用いて、以下の式（１４）を満足することがより望ましい。
【０１２９】
【数１４】
2018008266.tif 000016
【０１３０】
このようにすることで、斜めから見た場合に、グリッド電極１４の輝線の幅は小さくなるため、グリッド電極１４上の輝線が人間の目には見えづらくなる効果が得られる。たとえば特定の角度θｔ＝８０度の場合は、以下の式（１５）を満足することが望ましい。
【０１３１】
【数１５】
2018008266.tif 000017
【０１３２】
グリッド電極１４の表面粗さは平滑であることが望ましく、表面粗さＲａは、以下の式（１６）を満足することが望ましい。
【０１３３】
【数１６】
2018008266.tif 000018
【０１３４】
表面粗さが０に近くなるとグリッド電極１４の表面に材料が密着しづらくなるため望ましくなく、表面粗さが粗すぎると電界発光素子を成膜した際にショート不良が発生するおそれがある。グリッド電極１４の表面の粗さを式（１６）に示す数値範囲にすることで、電界発光素子に好適なグリッド電極１４を提供することが可能になる。
【０１３５】
グリッド電極１４の材料としては金属材料が挙げられる。金属材料は、導電性に優れていれば特に制限はなく、たとえば、金、銀、銅、鉄、ニッケル、クロム等の金属の他に合金でもよい。特に、後述のようにパターンの形成のしやすさの観点から金属材料の態様は、金属微粒子または金属ナノワイヤであることが好ましく、金属材料は導電性の観点から銀であることが好ましい。
【０１３６】
グリッド電極１４のパターン形状には特に制限はないが、たとえば、グリッド電極１４がストライプ状（平行線状）、格子状、ハニカム状、あるいはランダムな網目状であってもよく、特にストライプ状、格子状、ハニカム状が好ましい。
【０１３７】
グリッド電極１４のパターンの線幅（グリッド幅Ｗｇ）は好ましくは１０μｍ〜２００μｍであり、さらに好ましくは１０μｍ〜１００μｍの範囲である。細線の線幅が１０μｍ以上で、所望の導電性が得られ、また２００μｍ以下とすることで透明性が向上する。
【０１３８】
ストライプ状、格子状のパターンにおいて細線の間隔は、０．５ｍｍ〜４ｍｍが好ましい。ハニカム状のパターンにおいては、一辺の長さが０．５ｍｍ〜４ｍｍが好ましい。細線の高さ（グリッド電極厚ｈｇ）は、０．１μｍ〜１０μｍが好ましい。細線の高さが０．１μｍ以上で、所望の導電性が得られ、また１０μｍ以下とすることで有機電子デバイスの形成において、電流リークや機能層の膜厚分布不良の要因となることを防止できる。
【０１３９】
本実施の形態に係るグリッド電極１４の細線パターンは、金属粒子の分散液を用い、グラビア印刷法、フレキソ印刷法、スクリーン印刷法等の印刷法により形成できる。各印刷の方式は、一般的に電極パターン形成に使われる手法が本実施の形態に関しても適用可能である。具体的な例として、グラビア印刷法については特開２００９−２９５９８０号公報、特開２００９−２５９８２６号公報、特開２００９−９６１８９号公報、特開２００９−９０６６２号公報に記載の方法等が、フレキソ印刷法については特開２００４−２６８３１９号公報、特開２００３−１６８５６０号公報に記載の方法等が、スクリーン印刷法については特開２０１０−３４１６１号公報、特開２０１０−１０２４５号公報、特開２００９−３０２３４５号公報に記載の方法等が例として挙げられる。
【０１４０】
その他の方法としては、たとえば、基材の全面に金属層を形成し、公知のフォトリソ法によって形成できる。具体的には、基材上の全面に、印刷、蒸着、スパッタ、めっき等の１あるいは２以上の物理的または化学的形成手法を用いて導電体層を形成する、あるいは、金属箔を接着剤で基材に積層した後、公知のフォトリソ法を用いて、エッチングすることにより、所望のストライプ状あるいはメッシュ状のグリッド電極１４を加工できる。
【０１４１】
別な方法としては、金属微粒子を含有するインクをスクリーン印刷により所望の形状に印刷する方法や、メッキ可能な触媒インクをグラビア印刷、あるいは、インクジェット方式で所望の形状に塗布した後、メッキ処理する方法、さらに別な方法としては、銀塩写真技術を応用した方法も利用できる。
【０１４２】
銀塩写真技術を応用した方法については、たとえば、特開２００９−１４０７５０号公報の［００７６］−［０１１２］、及び実施例を参考にして実施できる。触媒インクをグラビア印刷してメッキ処理する方法については、たとえば、特開２００７−２８１２９０号公報を参考にして実施できる。
【０１４３】
ランダムな網目構造としては、たとえば、特表２００５−５３０００５号公報に記載のような、金属微粒子を含有する液を塗布乾燥することにより、自発的に導電性微粒子の無秩序な網目構造を形成する方法を利用できる。
【０１４４】
グリッド電極１４の細線部の表面比抵抗は、単位面積当たり１０Ω以下であることが好ましく、３Ω以下であることがより好ましい。表面比抵抗は、たとえば、ＪＩＳ  Ｋ６９１１、ＡＳＴＭＤ２５７、等に準拠して測定することができ、また市販の表面抵抗率計を用いて簡便に測定することができる。
【０１４５】
（発光を偏らせる構成）
以下、図２３および図２４を参照して、両面発光の電界発光素子４００において、発光を偏らせる構成について説明する。図２３は、電界発光素子４００の断面図、図２４は、電界発光素子４００の発光層と各透明電極との界面における光の反射率の違いによる発光強度差を説明するための模式図である。
【０１４６】
電界発光素子４００は、第１透明電極４１１と、第２透明電極４１２と、第１透明電極４１１と第２透明電極４１２とに挟まれた発光層４１０とを備える。第１透明電極４１１の発光層４１０とは反対側の面には、第１透明部材４１５が設けられている。第２透明電極４１２の発光層４１０とは反対側の面には、第２透明部材４１６が設けられている。
【０１４７】
発光層４１０から見た場合に、発光層４１０と第１透明電極４１１との界面の反射率が、発光層４１０と第２透明電極４１２との界面の反射率よりも高くなるように第１透明電極４１１と第２透明電極４１２との屈折率が選択されている。また、発光層４１０から見た場合に、第１透明部材４１５の屈折率が第２透明部材４１６の屈折率よりも低くなるように設けられている。
【０１４８】
第１透明部材４１５と第２透明部材４１６とを設けない場合には、第１透明部材４１５側に発光が残留してしまう。一方、第１透明部材４１５と第２透明部材４１６を設けることによって、第２透明部材４１６側に発光を偏らせることができる。以下ではその原理について説明する。
【０１４９】
第２透明電極４１２と第１透明電極４１１とに挟まれた、基本的な電界発光素子（発光層４１０＋第１透明電極４１１＋第２透明電極４１２）の膜厚さは、印加電圧に対する電界強度を大きくすること、内部抵抗による電圧低下を防ぐことから、１００ｎｍ〜５００ｎｍ程度の範囲にすることが多い。
【０１５０】
光の波長以下〜波長の数倍程度の厚さの光学薄膜における発光がどのように第１透明部材４１５および第２透明部材４１６に分配されるかについては光の量子論を用いて説明ができる。ここでは、以下の文献［１］を参考にして、電界発光素子４００の効果を説明する。
【０１５１】
『文献［１］：Rodney  Loudon,  「The  Quantum  Theory  of  Light  （Second  edition）」，（光の量子論，小島忠宣・小島和子訳，「光の量子論  第２版」，内田老鶴圃（1994）．）』。図２４に示す電界発光素子４００において、発光層４１０で発光した光が第１透明部材４１５に遷移するのにかかる時間をτ１、発光層４１０で発光した光が第２透明部材４１６に遷移するのにかかる時間をτ２とする。
【０１５２】
文献［１］を参考にして、τ１とτ２とは近似的に共通の比例係数を用いて、下記の式（１７）で表すことができる。
【０１５３】
【数１７】
2018008266.tif 000019
【０１５４】
式（１７）中で、Ｇは放射光の電界分布に依存する定数、ｎｄ１は第１透明部材４１５の屈折率、ｎｄ２は第２透明部材４１６の屈折率である。ここからＮ個の光子が発生したときに、第１透明部材４１５に配分される光子の数Ｎ１と第２透明部材４１６に配分される光子の数Ｎ２の割合は、下記の式（１８）で計算することができる。
【０１５５】
【数１８】
2018008266.tif 000020
【０１５６】
式（１８）中で、Ｐ１は発生した光子が第１透明部材４１５に行く確率、Ｐ２は発生した光子が第２透明部材４１６に行く確率である。これは光の波動状態を表す波数空間において、状態密度が屈折率の３乗に比例するという結果、および光の遷移確率が状態密度の比によって決まるという理論から導かれる。言い換えると、光子が状態密度の多い空間に行きやすく、光の状態密度が光の屈折率の３乗に比例することを意味している。
【０１５７】
十分に光の状態密度を増やすためには透明部材の厚さが、透明部材における光の波長（真空波長をλ０とおいたとき、第１透明部材４１５の波長はλ０／ｎｄ１、第２透明部材４１６の波長はλ０／ｎｄ２）より大きいことが望ましい。
【０１５８】
また、第１透明部材４１５と第２透明部材４１６とは、発光素子の機械強度を増すために数１００μｍ程度の厚さを有することが望ましい。このとき、透明部材における光の振る舞いは幾何光学で近似される。
【０１５９】
発光層から透明部材に移動した光の角度分布は、ランバート（ｃｏｓθ配向）で近似できる。この場合、屈折率ｎｄ１の第１透明部材４１５から屈折率１の空気に出る光の割合η１、および屈折率ｎｄ２の第２透明部材１６から屈折率１の空気に出る光の割合η２は、下記式（１９）のようにあらわすことができる。
【０１６０】
【数１９】
2018008266.tif 000021
【０１６１】
式（１９）は、配向をランバートで仮定し全反射角以内の光がすべて空気に出るという仮定を置いて光線の積分を行なうことによって得られる。式（１７）、式（１９）より第１透明部材１５側の空気に出る光の光子数Ｍ１と第２透明部材１６側の空気に出る光子数Ｍ２の比は下記の式（２０）で表されることになる。
【０１６２】
【数２０】
2018008266.tif 000022
【０１６３】
これは、第１透明部材４１５側に出る光子数Ｍ１は、第１透明部材４１５の屈折率ｎｄ１に比例し、第２透明部材４１６側に出る光子数Ｍ２は第２透明部材４１６の屈折率ｎｄ２に比例することを意味する。
【０１６４】
実際の素子においてはすべての光子が空気に達するわけではなく、前述した透明電極の反射率や透過率に依存して光子が消える割合が決まる。たとえば第１透明部材４１５の反射率が第２透明部材４１６の反射率よりも高ければ、式（２０）で表される割合よりもＭ２が増加することになる。
【０１６５】
重要なのは、式（２０）で表されるように透明部材の屈折率によって、電極反射率の差による光子数が表面と裏面とで異なる効果を倍増させることができるという点である。
【０１６６】
たとえば、第１透明部材４１５と第２透明部材４１６とを設けない場合に、発光層４１０から見た第１透明電極４１１の反射率が、発光層４１０から見た第２透明電極４１２の反射率よりも高い状態を考える。多重反射の結果、第２透明電極４１２の外側に出る光が第１透明電極４１１の外側に出る光よりも多くなる。第１透明電極４１１側に出る光Ｌ１と第２透明電極４１２側に出る光Ｌ２の割合がＬ１／Ｌ２＝０．５であったとする。
【０１６７】
第１透明電極４１１の外側に第１透明部材４１５として屈折率が１．１の材料を用い、第２透明部材４１６として屈折率が１．９の材料を設けた場合を考える。
【０１６８】
材料としてガラス材料、樹脂材料、半導体酸化物、金属酸化物などが考えられるが、透明な材料であれば他にもゴム、液体、気体、ジェルなど任意の透明材料が用いられる。可視光で屈折率の高い媒質の例としてはＴｉＯ２（屈折率２．５）があり、屈折率の低い材料の例としては中空シリカ微粒子を分散させた樹脂媒体（屈折率１．１）があげられる。この場合、式（２０）に従って光子数の割合が変わる。結果として第１透明部材４１５の外部に出る光Ｌ１’と第２透明部材１６の外部に出る光Ｌ２’との割合は、下記の式（２１）のとおり、第２透明部材４１６側に強く偏らせることが可能になる。
【０１６９】
【数２１】
2018008266.tif 000023
【０１７０】
したがって、この電界発光素子４００は、図２４に示すように、第１透明部材４１５と第２透明部材４１６との屈折率を制御することで、第１透明電極４１１側に出る光と第２透明電極４１２側に出る光との割合について、第２透明部材４１６側に強く偏らせるとともに、電界発光素子４００の透明性を保つことを可能としている。
【０１７１】
なお、発光を偏らせる効果を強く出すためには、第１透明部材４１５と発光層４１０との間の距離が発光層における発光波長以下であり、第２透明部材４１６と発光層４１０との間の距離は上記発光層における発光波長以下であることが望ましい。このように構成することで、発光層で発生した光の近接場光のしみだし距離以内に第１透明部材と第２透明部材を配置でき、光の状態を第２透明部材側に偏らせる効果を出しやすくなる。
【０１７２】
（下地層材料と屈折率との関係）
特開２０１５―６０７２８号公報に「アルカリ金属またはアルカリ土類金属と酸素を含有して構成」として開示された材料や、特開２０１５−６０７１７号公報に「縮合複素環化合物を含有し、当該縮合複素環化合物が窒素原子（Ｎ）と炭素原子（Ｃ）の数の比（Ｎ／Ｃ）の値が０．５以上の含窒素縮合環を分子内に有する」として開示された材料を用いることが望ましい。発光ピーク波長における屈折率は、１．７〜２．０であり、発光層の屈折率に近いために、余計なフレネル反射を生じにくい利点がある。
【０１７３】
（照明装置５００）
本実施の形態の電界発光素子を用いた照明装置５００について、図２５および図２６を参照して説明する。なお、図２５は、照明装置５００の斜視図、図２６は、照明装置５００の縦断面図である。
【０１７４】
この照明装置５００は、本体筐体５０１と、照明対象物５１０を載置する載置領域５２０とを有する。載置領域５２０には、外窓用ガラス６００Ａが嵌め入れられている。この外窓用ガラス６００Ａには、上記した各電界発光素子を用いることが可能で、たとえば、図２Ａから図２Ｃに示す電界発光素子１００を用いた場合には、第２透明電極１２および第２透明部材１６側が、載置領域５２０側に面している。
【０１７５】
この照明装置５００は、たとえば、子供用のおもちゃ、食品（リンゴ等）等を展示するためのショーケースである。この照明装置５００は、透明で片面側（載置領域５２０側）に偏った発光を実現し、消光時は透明なガラス板として機能する。
【０１７６】
図２５および図２６に示すショーケースとしての照明装置５００の場合には、内部の展示品のみに均一な柔らかい照明を実現する。また、展示品を見る人間側にはほとんど発光せず向こう側が透けて見えるので空間に拡がりを持たせることができる。
【０１７７】
図２５および図２６では、ショーケースの窓として用いたが、透明な照明自体をショーケースに用いてもよい。この場合は上下左右に発光が均一な照明になり影のない展示品の照明が可能になる。また、ショーケースに限られず、たとえば、家、車の窓の照明装置としても用いることができる。
【０１７８】
以上、本実施の形態における電界発光素子によれば、グリッド電極のある部分の光強度の角度分布（配光）を、正面強度が低く斜め強度が強くなるように構成している。このようにすることで、従来の構造に比較してグリッド電極上部の輝度を目立たなくし、全体として均一な正面方向の輝度を確保することを可能とする。
【０１７９】
より好ましくは、片側の面に偏った発光を実現できると同時に、グリッド電極上の輝度低下割合をより少なくすることが可能になり、正面輝度効率を向上させることを可能とする。
【０１８０】
より好ましくは、下地層を設けることで透明電極の平滑性を向上し、透過率の向上と同時に面抵抗の低減を図ることを可能とする。
【０１８１】
より好ましくは、透明電極との屈折率差を調整することでフレネル反射を低減させ、透明性を向上させることを可能とする。
【０１８２】
（眼鏡６００）
図２７は本実施の形態における電界発光素子を採用した眼鏡６００である。眼鏡６００のレンズ部に本実施の形態における透明で発光する電界発光素子が設けられている。また、眼鏡６００のフレームを介して配線がなされ、配線は制御装置に接続されている。本実施の形態における電界発光素子を眼鏡に実施する際には、眼鏡の外部側の透明部材の屈折率を眼鏡の目側の透明部材の屈折率より高くすることにより発光を外部に偏らせるように構成することで、暗所で手元を見ながら作業をする際に視認側はまぶしくせずに外部を明るくできる効果が得られ作業性が改善できる。
【０１８３】
また、グリッドのある面は内部の側が望まく、グリッドが目の側にあることで発光層から発光した光を外部に向けることができ、目のまぶしさを低減できる。また、特にグリッドを縞状に構成し、グリッドの間隔を可視光の中心波長５５０ナノメートル以下とし、グリッドの幅を可視光の中心波長５５０ナノメートル以下とすることで、グリッドがワイヤグリッド偏光子としての機能を有するように構成できる。
【０１８４】
本実施の形態における電界発光素子を眼鏡に応用し、可視光の波長においてワイヤグリッド偏光子として機能するように構成し、グリッドの方向を水平面として構成することで、外部に偏って発光しかつサングラスをかけた人間はまぶしくないサングラスとして構成することができる。本実施の形態における電界発光素子を発光するサングラスとして機能させた場合、外部に発光しデザイン性に優れたサングラスを実現できる。
【０１８５】
本実施の形態に従う電界発光素子においては、第１透明電極と、第２透明電極と、上記第１透明電極と上記第２透明電極とに挟まれた発光層と、上記第１透明電極に設けられるグリッド電極と、を備えている。
【０１８６】
上記発光層から上記第２透明電極側に発光する光の空気で観測した輝度の３０度以上の特定の角度θｔにおける配光特性を、上記グリッド電極が設けられている領域と、上記グリッド電極が設けられていない領域とを比較した場合に、上記グリッド電極が設けられている領域の輝度の方が大きい。
【０１８７】
他の形態においては、上記グリッド電極は、上記第１透明電極の上記発光層とは反対側の面に設けられている。
【０１８８】
他の形態においては、上記グリッド電極は、上記第１透明電極の内部に設けられている。
【０１８９】
他の形態においては、上記グリッド電極は、上記発光層側の面に設けられている。他の形態においては、上記グリッド電極上の上記発光層から上記第２透明電極側に発光する光の空気で観測した輝度の配光特性をＤｇ（θ）とした場合に、３０度以上の特定の角度θｔにおいて、Ｄｇ（θｔ）＞Ｄｇ（０）ｃｏｓ（θｔ）となる。
【０１９０】
他の形態においては、上記第１透明電極の上記発光層とは反対側の面に設けられる第１透明部材と、上記第２透明電極の上記発光層とは反対側の面に設けられる第２透明部材と、をさらに備えている。
【０１９１】
上記発光層から見た場合に、上記発光層と上記第１透明電極との界面の反射率が、上記発光層と上記第２透明電極との界面の反射率よりも高くなるように上記第１透明電極と上記第２透明電極の屈折率が選択され、上記第１透明部材の屈折率が上記第２透明部材の屈折率よりも低くなるように設けられており、上記第１透明部材と上記発光層との間の距離は上記発光層における発光波長以下であり、上記第２透明部材と上記発光層との間の距離は上記発光層における発光波長以下であり、上記第１透明部材と上記第２透明部材とは、それぞれの透明部材における光の波長以上の厚さを有する。
【０１９２】
他の形態においては、上記第１透明部材、上記グリッド電極、上記第１透明電極の順に積層されており、上記グリッド電極と上記第１透明電極の間に上記第１透明電極の下地層が設けられている。
【０１９３】
他の形態においては、上記下地層の屈折率が上記発光層の屈折率よりも低い。
以上、実施の形態について説明したが、今回開示された実施の形態はすべての点で例示であって制限的なものではない。本発明の範囲は請求の範囲によって示され、請求の範囲と均等の意味および範囲内でのすべての変更が含まれる。
【符号の説明】
【０１９４】
１０，４１０  発光層、１０Ａ  発光機能層、１１，３１，４１１  第１透明電極、１２，４１２  第２透明電極、１３  下地層、１４  グリッド電極、１５，４１５  第１透明部材、１６，４１６  第２透明部材、２１  第１透明電極ｂ、２２  第１透明電極ａ、２３  光学バッファ層、２４  封止層、２５  接着層、２６  封止基板、３２  電子輸送層、３３  第１光学バッファ層、３４  第２光学バッファ層、１００，１００Ａ，１００Ｂ，１００Ｃ，４００  電界発光素子、５００  照明装置、５０１  本体筐体、５１０  照明対象物、５２０  置領域、６００  眼鏡、６００Ａ  外窓用ガラス。
【図１】
2018008266.tif 000024
【図２Ａ】
2018008266.tif 000025
【図２Ｂ】
2018008266.tif 000026
【図２Ｃ】
2018008266.tif 000027
【図３】
2018008266.tif 000028
【図４】
2018008266.tif 000029
【図５】
2018008266.tif 000030
【図６】
2018008266.tif 000031
【図７】
2018008266.tif 000032
【図８】
2018008266.tif 000033
【図９】
2018008266.tif 000034
【図１０】
2018008266.tif 000035
【図１１】
2018008266.tif 000036
【図１２】
2018008266.tif 000037
【図１３】
2018008266.tif 000038
【図１４】
2018008266.tif 000039
【図１５】
2018008266.tif 000040
【図１６】
2018008266.tif 000041
【図１７】
2018008266.tif 000042
【図１８】
2018008266.tif 000043
【図１９】
2018008266.tif 000044
【図２０】
2018008266.tif 000045
【図２１】
2018008266.tif 000046
【図２２】
2018008266.tif 000047
【図２３】
2018008266.tif 000048
【図２４】
2018008266.tif 000049
【図２５】
2018008266.tif 000050
【図２６】
2018008266.tif 000051
【図２７】
2018008266.tif 000052
【国際調査報告】
2018008266.tif 000053
2018008266.tif 000054
2018008266.tif 000055
2018008266.tif 000056